【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
曲を構成する各音を表す曲データを記憶する曲データ記憶手段と、
前記曲データ記憶手段に記憶される曲データの中から同じラインであって、かつ発音時刻および音長が共通する和音構成音を検索する和音検索手段と、
前記曲データ記憶手段に記憶される曲データを順次指定する指定手段と、
前記和音検索手段により検索される和音構成音の内、前記指定手段により指定される曲データより音高の低い和音構成音を抽出し、当該曲データとは異なるラインに分離するライン分離手段と
を具備することを特徴とする楽譜表示装置。
【請求項２】
曲を構成する各音を表す曲データを記憶する曲データ記憶手段と、
前記曲データ記憶手段に記憶される曲データの内、発音時刻又は消音時刻の少なくともいずれか一方が異なり、発音期間が重複する曲データ同士を、音高の大小に応じて第１および第２のラインに分離するライン分離手段と、
前記ライン分離手段により第１および第２のラインに分離された曲データの音高に応じて、当該第１および第２のラインに分離された曲データを左手パートもしくは右手パートに割り当てるパート割当手段と
を具備することを特徴とする楽譜表示装置。
【請求項３】
曲を構成する各音を表す曲データを記憶する曲データ記憶手段と、
前記曲データ記憶手段に記憶される曲データにおいて第１のラインを形成する各音の平均音高を表す第１平均音高と、第２のラインを形成する各音の平均音高を表す第２平均音高とを小節毎に抽出する抽出手段と、
前記曲データ記憶手段に記憶される曲データの中に、小節中の他音と重複せずに単独で存在する独立音が有る場合、当該独立音と前記第１平均音高との差分を表す第１差分と、当該独立音と前記第２平均音高との差分を表す第２差分とを発生する差分発生手段と、
前記差分発生手段により生成される第１差分と第２差分との大小比較結果に応じて、その独立音を第１のライン又は第２のラインのいずれかに含めるかを調整する調整手段と
を具備することを特徴とする楽譜表示装置。
【請求項４】
曲を構成する各音を表す曲データの中から同じラインであって、かつ発音時刻および音長が共通する和音構成音を検索する和音検索処理と、
曲を構成する各音を表す曲データを順次指定する指定処理と、
前記和音検索処理により検索される和音構成音の内、前記指定処理にて指定される曲データより音高の低い和音構成音を抽出し、当該曲データとは異なるラインに分離するライン分離処理と
をコンピュータで実行させることを特徴とする楽譜表示プログラム。
【請求項５】
曲を構成する各音を表す曲データの内、発音時刻又は消音時刻の少なくともいずれか一方が異なり、発音期間が重複する曲データ同士を、音高の大小に応じて第１および第２のラインに分離するライン分離処理と、
前記ライン分離処理にて第１および第２のラインに分離された曲データの音高に応じて、当該第１および第２のラインに分離された曲データを左手パートもしくは右手パートに割り当てるパート割当処理と
をコンピュータで実行させることを特徴とする楽譜表示プログラム。
【請求項６】
曲を構成する各音を表す曲データにおいて第１のラインを形成する各音の平均音高を表す第１平均音高と、
第２のラインを形成する各音の平均音高を表す第２平均音高とを小節毎に抽出する抽出処理と、
曲を構成する各音を表す曲データの中に、小節中の他音と重複せずに単独で存在する独立音が有る場合、当該独立音と前記第１平均音高との差分を表す第１差分と、当該独立音と前記第２平均音高との差分を表す第２差分とを発生する差分発生処理と、
前記差分発生処理にて生成される第１差分と第２差分との大小比較結果に応じて、その独立音を第１のライン又は第２のラインのいずれかに含めるかを調整する調整処理と
をコンピュータで実行させることを特徴とする楽譜表示プログラム。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
請求項２に記載の発明では、曲を構成する各音を表す曲データを記憶する曲データ記憶手段と、前記曲データ記憶手段に記憶される曲データの内、発音時刻又は消音時刻の少なくともいずれか一方が異なり、発音期間が重複する曲データ同士を、音高の大小に応じて第１および第２のラインに分離するライン分離手段と、前記ライン分離手段により第１および第２のラインに分離された曲データの音高に応じて、当該第１および第２のラインに分離された曲データを左手パートもしくは右手パートに割り当てるパート割当手段とを具備することを特徴とする。
【手続補正４】
【補正対象書類名】明細書
【補正対象項目名】０００９
【補正方法】変更
【補正の内容】
【０００９】
請求項３に記載の発明では、曲を構成する各音を表す曲データを記憶する曲データ記憶手段と、前記曲データ記憶手段に記憶される曲データにおいて第１のラインを形成する各音の平均音高を表す第１平均音高と、第２のラインを形成する各音の平均音高を表す第２平均音高とを小節毎に抽出する抽出手段と、前記曲データ記憶手段に記憶される曲データの中に、小節中の他音と重複せずに単独で存在する独立音が有る場合、当該独立音と前記第１平均音高との差分を表す第１差分と、当該独立音と前記第２平均音高との差分を表す第２差分とを発生する差分発生手段と、前記差分発生手段により生成される第１差分と第２差分との大小比較結果に応じて、その独立音を第１のライン又は第２のラインのいずれかに含めるかを調整する調整手段とを具備することを特徴とする。
【手続補正５】
【補正対象書類名】明細書
【補正対象項目名】００１０
【補正方法】変更
【補正の内容】
【００１０】
請求項４に記載の発明では、曲を構成する各音を表す曲データの中から同じラインであって、かつ発音時刻および音長が共通する和音構成音を検索する和音検索処理と、曲を構成する各音を表す曲データを順次指定する指定処理と、前記和音検索処理により検索される和音構成音の内、前記指定処理にて指定される曲データより音高の低い和音構成音を抽出し、当該曲データとは異なるラインに分離するライン分離処理とをコンピュータで実行させることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
請求項５に記載の発明では、曲を構成する各音を表す曲データの内、発音時刻又は消音時刻の少なくともいずれか一方が異なり、発音期間が重複する曲データ同士を、音高の大小に応じて第１および第２のラインに分離するライン分離処理と、前記ライン分離処理にて第１および第２のラインに分離された曲データの音高に応じて、当該第１および第２のラインに分離された曲データを左手パートもしくは右手パートに割り当てるパート割当処理とをコンピュータで実行させることを特徴とする
【手続補正８】
【補正対象書類名】明細書
【補正対象項目名】００１３
【補正方法】変更
【補正の内容】
【００１３】
請求項６に記載の発明では、曲を構成する各音を表す曲データにおいて第１のラインを形成する各音の平均音高を表す第１平均音高と、第２のラインを形成する各音の平均音高を表す第２平均音高とを小節毎に抽出する抽出処理と、曲を構成する各音を表す曲データの中に、小節中の他音と重複せずに単独で存在する独立音が有る場合、当該独立音と前記第１平均音高との差分を表す第１差分と、当該独立音と前記第２平均音高との差分を表す第２差分とを発生する差分発生処理と、前記差分発生処理にて生成される第１差分と第２差分との大小比較結果に応じて、その独立音を第１のライン又は第２のラインのいずれかに含めるかを調整する調整処理とをコンピュータで実行させることを特徴とする。
【手続補正９】
【補正対象書類名】明細書
【補正対象項目名】００１４
【補正方法】変更
【補正の内容】
【００１４】
請求項１、４に記載の発明によれば、曲を構成する各音を表す曲データの中から同じラインであって、かつ発音時刻および音長が共通する和音構成音を検索し、検索される和音構成音の内、指定処理にて順番に指定される曲データより音高の低い和音構成音を抽出し、抽出した和音構成音を当該曲データとは異なるラインに分離するので、楽譜化する曲データが和音を形成する場合であっても、ラインの帰属を判りやすく楽譜表示することができる。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
請求項２、５に記載の発明によれば、曲を構成する各音を表す曲データの内、発音時刻又は消音時刻の少なくともいずれか一方が異なり、発音期間が重複する曲データ同士を、音高の大小に応じて第１および第２のラインに分離し、第１および第２のラインに分離された曲データの音高に応じて、当該第１および第２のラインに分離された曲データを左手パートもしくは右手パートに割り当てるので、両手各パートに対応するラインが混在した曲データの場合、ラインの帰属が判り難い楽譜になるという弊害を回避し、ラインの帰属を判りやすく楽譜表示することができる。
【手続補正１２】
【補正対象書類名】明細書
【補正対象項目名】００１７
【補正方法】変更
【補正の内容】
【００１７】
請求項３、６に記載の発明によれば、曲を構成する各音を表す曲データにおいて第１のラインを形成する各音の平均音高を表す第１平均音高と、第２のラインを形成する各音の平均音高を表す第２平均音高とを小節毎に抽出する。そして、曲を構成する各音を表す曲データの中に、小節中の他音と重複せずに単独で存在する独立音が有る場合、当該独立音と前記第１平均音高との差分を表す第１差分と、当該独立音と前記第２平均音高との差分を表す第２差分とを発生し、この第１差分と第２差分との大小比較結果に応じて、その独立音を第１のライン又は第２のラインのいずれかに含めるかを調整する。この結果、複数のラインが存在する小節の中に単独に存在する音符があると、どのラインに帰属するのかが不明な判り難い楽譜になるという従来の弊害を解消でき、ラインの帰属を判りやすく楽譜表示することができる。